(57)【要約】【目的】テレビ、パソコン、携帯電話等の液晶ティスプレイ又は液晶ティスプレイ以外の大型看板のバックライトとして使用便利で極めて好適な導光板体の提供。【構成】透光性を有するアクリル樹脂板等の透光性板体１の両面にアクリル樹脂で形成した無数のレンズ状凸出部２を設けて導光基板３を形成し、更に導光基板３の数枚を重ねて集積導光基板４を形成し、且つ集積導光基板４の端面壁面部５に隣接して集積導光基板４に光を導入する光源６を設け、更に集積導光基板４の端面壁面部５を集積導光基板４の表裏面に対して直角面とすることなく円弧面状または傾斜面状等の非直角面状としたことを特徴としている。【選択図】                  図１
2004207151.tif 000002
【特許請求の範囲】
【請求項１】
透光性を有するアクリル樹脂板等の透光性板体１の両面にアクリル樹脂で形成した無数のレンズ状凸出部２を設けて導光基板３を形成し、更に導光基板３の数枚を重ねて集積導光基板４を形成し、且つ集積導光基板４の端面壁面部５に隣接して集積導光基板４に光を導入する光源６を設けたことを特徴とする導光板体。
【請求項２】
集積導光基板４の端面壁面部５を集積導光基板４の表裏面に対して直角面とすることなく円弧面状または傾斜面状等の非直角面状としたことを特徴とする請求項１記載の導光板体。
【請求項３】
透光性を有するアクリル樹脂板等の広幅透光性板体７の両面にアクリル樹脂で形成した無数のレンズ状凸出部２を設けて広幅導光基板８を形成し、更に広幅導光基板８の数枚を重ねて広幅集積導光基板９を形成し、且つ広幅集積導光基板９の端面壁面部５に隣接して広幅集積導光基板９に光を導入する光源６を設け、又更に広幅集積導光基板９の背面に位置する広幅導光基板８の裏面に切欠溝条部１０を設けると共に該切欠溝条部１０に広幅集積導光基板９に光を導入する補助光源１１を設けたことを特徴とする導光板体。
【発明の詳細な説明】
【０００１】
【産業上の利用分野】
この発明は、テレビ、パソコン、携帯電話等の液晶ディスプレイ又は液晶ディスプレイ以外の大型看板のバックライトとして使用便利で極めて好適な導光板体に関するものである。
【０００２】
【従来の技術】
従来、テレビ、パソコン、携帯電話等の液晶ディスプレイ又は液晶ディスプレイ以外の大型看板のバックライトとしての導光板体は知られている。
【０００３】
【発明が解決しようとする問題点】
ところが従来のテレビ、パソコン、携帯電話等の液晶ディスプレイ又は液晶ディスプレイ以外の大型看板のバックライトとして知られている導光板体はテレビ、パソコン、携帯電話等の液晶ディスプレイの全面又は大型看板の全面に亘りむらなく高輝度で効率よく光を当てて液晶ディスプレイ又は大型看板の性能を上昇させることができない等の欠点があった。
【０００４】
この発明は上記の問題点を解決したもので、極めて簡単な手段でテレビ、パソコン、携帯電話等の液晶ディスプレイの全面又は大型看板の全面に亘りむらなく高輝度で効率よく光を当てて液晶ディスプレイ又は大型看板の性能を上昇させることができて使用便利で極めて使い勝手が良い導光板体を得ることを目的としたものである。
【０００５】
【問題点を解決するための手段】
上記の目的を達成するためこの発明は、透光性を有するアクリル樹脂板等の透光性板体１の両面にアクリル樹脂で形成した無数のレンズ状凸出部２を設けて導光基板３を形成し、更に導光基板３の数枚を重ねて集積導光基板４を形成し、且つ集積導光基板４の端面壁面部５に隣接して集積導光基板４に光を導入する光源６を設けたものである。
【０００６】
又、集積導光基板４の端面壁面部５を集積導光基板４の表裏面に対して直角面とすることなく円弧面状または傾斜面状等の非直角面状としたものである。
【０００７】
又、透光性を有するアクリル樹脂板等の広幅透光性板体７の両面にアクリル樹脂で形成した無数のレンズ状凸出部２を設けて広幅導光基板８を形成し、更に広幅導光基板８の数枚を重ねて広幅集積導光基板９を形成し、且つ広幅集積導光基板９の端面壁面部５に隣接して広幅集積導光基板９に光を導入する光源６を設け、又更に広幅集積導光基板９の背面に位置する広幅導光基板８の裏面に切欠溝条部１０を設けると共に該切欠溝条部１０に広幅集積導光基板９に光を導入する補助光源１１を設けたものである。
【０００８】
【実施例】
以下図面についてこの発明の実施例を説明すると、透光性を有するアクリル樹脂板等の透光性板体１の両面にアクリル樹脂で形成した無数のレンズ状凸出部２を設けて導光基板３を形成し、更に導光基板３の数枚を重ねて支持板１２，１２を備えた集積導光基板４を形成し、且つ集積導光基板４の端面壁面部５に隣接して集積導光基板４に光を導入する冷陰極管又はＬＥＤ光源等の光源６を反射面１３を備えた支持板１２内に設けたものであり、支持板１２に設けた反射面１３は集積導光基板４内への光の導入を助長して集積導光基板４の輝度をより高くして液晶ディスプレイの性能をより上昇させるものである。
【０００９】
又、集積導光基板４の端面壁面部５を集積導光基板４の表裏面に対して直角面とすることなく円弧面状または傾斜面状等の非直角面状としたもので冷陰極管又はＬＥＤ光源等の光源６からて出た光は非直角面状とした端面壁面部５を介して集積導光基板４内に導入されるものである。
【００１０】
又、透光性を有するアクリル樹脂板等の広幅透光性板体７の両面にアクリル樹脂で形成した無数のレンズ状凸出部２を設けて広幅導光基板８を形成し、更に広幅導光基板８の数枚を重ねて広幅用支持板１４，１４を備えた広幅集積導光基板９を形成し、且つ広幅集積導光基板９の端面壁面部５に隣接して広幅集積導光基板９に光を導入する冷陰極管又はＬＥＤ光源等の光源６を反射面１３を備えた広幅用支持板１４内に設け、広幅用支持板１４に設けた反射面１３は広幅集積導光基板９内への光の導入を助長して広幅集積導光基板９の輝度をより高くして大型看板の性能をより上昇させるものであり、又更に広幅集積導光基板９の背面に位置する広幅導光基板８の裏面に切欠溝条部１０を設けると共に該切欠溝条部１０に広幅集積導光基板９に光を導入する冷陰極管又はＬＥＤ光源等の補助光源１１を設け、且つ又補助光源１１は反射面部１５を備えた被覆板体１６で被覆したものであり、被覆板体１６に設けた反射面部１５は広幅集積導光基板９内への補助光源１１より出た光の導入を助長して広幅集積導光基板９の輝度をより更に高くして大型看板の性能をより多く上昇させるものである。
【００１１】
【発明の作用効果】
この発明は以上のような構成であり、透光性を有するアクリル樹脂板等の透光性板体１の両面にアクリル樹脂で形成した無数のレンズ状凸出部２を設けて導光基板３を形成し、更に導光基板３の数枚を重ねて集積導光基板４を形成し、且つ集積導光基板４の端面壁面部５に隣接して集積導光基板４に光を導光する光源６を設けたので光源６に通電することにより光源６より出た光は透光性を有する集積導光基板４に導入されると共に集積導光基板４に導入された光は透光性板体１の両面に設けた無数のレンズ状凸出部２によって向きを変えて進むとともに光が集積導光基板４の表面から出て集積導光基板４がむらが生じることなく発光するものでテレビ、パソコン、携帯電話等の液晶ディスプレイのバックライトとして極めて好適である。
【００１２】
又、集積導光基板４は透光性を有するアクリル樹脂板等の透光性板体１の両面にアクリル樹脂で形成した無数のレンズ状凸出部２を設けて形成した導光基板３の数枚を重ねて形成したので集積導光基板４に導入された光は集積導光基板４の中を全反射しながら進むと共に集積導光基板４より高輝度を有した光として表面に表れ液晶ディスプレイの性能を上昇させるものである。
【００１３】
又、集積導光基板４の端面壁面部５を集積導光基板４の表裏面に対して直角面とすることなく円弧面状または傾斜面状等の非直角面状としたものであるので集積導光基板４に非直角面状とした端面壁面部５より導入された光は透光性板体１の中を全反射しながら進んで集積導光基板４の表面にむらを有することなく高輝度で明るくするものである。
【００１４】
又、透光性を有するアクリル樹脂板等の広幅透光性板体７の両面にアクリル樹脂で形成した無数のレンズ状凸出部２を設けて広幅導光基板８を形成し、更に広幅導光基板８の数枚を重ねて広幅集積導光基板９を形成し、且つ広幅集積導光基板９の端面壁面部５に隣接して広幅集積導光基板９に光を導入する光源６を設け、又更に広幅集積導光基板９の背面に位置する広幅導光基板８の裏面に切欠溝条部１０を設けると共に該切欠溝条部１０に広幅集積導光基板９に光を導入する補助光源１１を設けたものであるので広い範囲に亘りむらなく高輝度で光を出して大型看板の性能を上昇させ、大型看板物のバックライトとして極めて好都合に作用するものである。
【００１５】
以上のようにこの発明は極めて簡単な手段でテレビ、パソコン、携帯電話等の液晶ディスプレイの全面又は大型看板の全面に亘りむらなく高輝度で効率よく光を当てて、液晶ディスプレイ又は大型看板の性能を上げることができて使用便利で極めて使い勝手が良く好都合である等の幾多の産業的作用効果を奏するものである。
【図面の簡単な説明】
【図１】この発明の斜視図である。
【図２】図１に於けるＡ−Ａ断面図である。
【図３】図２に於けるＡ部の拡大断面図である。
【図４】この発明の他の実施例に於ける斜視図である。
【図５】図４に於けるＡ−Ａ断面図である。
【図６】図５に於けるＢ部の拡大断面図である。
【図７】この発明の更に他の実施例に於ける斜視図である。
【図８】図７に於けるＡ−Ａ断面図である。
【図９】図８に於けるＣ部の拡大断面図である。
【符号の説明】
１  透光性板体
２  レンズ状凸出部
３  導光基板
４  集積導光基板
５  端面壁面部
６  光源
７  広幅透光性板体
８  広幅導光基板
９  広幅集積導光基板
１０  切欠溝条部
１１  補助光源
１２  支持板
１３  反射面
１４  広幅用支持板
１５  反射面部
１６  被覆板体
【図１】
2004207151.tif 000003
【図２】
2004207151.tif 000004
【図３】
2004207151.tif 000005
【図４】
2004207151.tif 000006
【図５】
2004207151.tif 000007
【図６】
2004207151.tif 000008
【図７】
2004207151.tif 000009
【図８】
2004207151.tif 000010
【図９】
2004207151.tif 000011
【手続補正書】
【提出日】平成16年2月26日(2004.2.26)
【手続補正１】
【補正対象書類名】明細書
【補正対象項目名】特許請求の範囲
【補正方法】変更
【補正の内容】
【特許請求の範囲】
【請求項１】
透光性を有するアクリル樹脂板等の透光性板体１の両面にアクリル樹脂で形成した無数のレンズ状凸出部２を設けて導光基板３を形成し、更に導光基板３の数枚を重ねて集積導光基板４を形成し、且つ集積導光基板４の端面壁面部５に隣接して集積導光基板４に光を導入する光源６を設けたことを特徴とする導光板体。
【請求項２】
集積導光基板４の端面壁面部５を集積導光基板４の表裏面に対して直角面とすることなく円弧面状または傾斜面状等の非直角面状としたことを特徴とする請求項１記載の導光板体。
【請求項３】
透光性を有するアクリル樹脂板等の広幅透光性板体７の両面にアクリル樹脂で形成した無数のレンズ状凸出部２を設けて広幅導光基板８を形成し、更に広幅導光基板８の数枚を重ねて広幅集積導光基板９を形成し、且つ広幅集積導光基板９の端面壁面部５に隣接して広幅集積導光基板９に光を導入する光源６を設け、又更に広幅集積導光基板９の背面に位置する広幅導光基板８の裏面に切欠溝条部１０を設けると共に該切欠溝条部１０に広幅集積導光基板９に光を導入する補助光源１１を設けたことを特徴とする請求項１又は請求項２記載の導光板体。